(57)【要約】【課題】ズボンにレインパンツを一体的に備えて、降雨時等に簡単容易に着用することのできるレインパンツ付きズボンを提供する。【解決手段】ズボン１の所要部にレインパンツ収納用のポケット３を設け、このポケット３にレインパンツ２を折り畳んで収納すると共に、レインパンツ２の所要部をポケット３内の所要部に連結してなる。【選択図】図１
2007327146.tif 000002
【特許請求の範囲】
【請求項１】
ズボンの所要部にレインパンツ収納用のポケットを設け、このポケットにレインパンツを折り畳んで収納すると共に、このレインパンツの所要部をポケット内の所要部に連結してなることを特徴とするレインパンツ付きズボン。
【請求項２】
ポケット内に連結用タブを取り付け、レインパンツの両サイドを切り開いて夫々ファスナーにより開閉自在にすると共に、このレインパンツには、パンツの裏面側でズボンのポケット側連結用タブの取付位置と対応する位置に連結用タブを取り付け、このパンツ側連結用タブと前記ポケット側連結用タブとをホック又はボタンで連結するようにしてなることを特徴とする請求項１に記載のレインパンツ付きズボン。
【発明の詳細な説明】
【技術分野】
【０００１】
本発明は、レジャー用や作業用等のズボンにレインコパンツを一体的に備えたレインパンツ付きズボンに関するものである。
【背景技術】
【０００２】
例えば、アウトドアを楽しんでいる最中に雨が降ってきた時、携帯用等の傘をさせば、上着はほとんど濡れずに済むことはあっても、ズボンは濡れ易く、特に風を伴う場合にはズボンがびしょ濡れになることがある。また、例えば運送業者の運転手がその日の仕事を終えて車を洗車する際には、普通の作業服のままではズボンが濡れ易いため、更衣室等でいちいちビニール製の洗車用パンツに着替えることがあった。
【発明の開示】
【発明が解決しようとする課題】
【０００３】
本発明は、上記のような実情に鑑み、ズボンにレインコパンツを一体的に備えて、降雨時等に簡単容易に着用することのできるレインパンツ付きズボンを提供することを目的とする。
【課題を解決するための手段】
【０００４】
上記課題を解決するための手段を、後述する実施形態の参照符号を付して説明すると、請求項１に係る発明は、ズボン１の所要部にレインパンツ収納用のポケット３を設け、このポケット３にレインパンツ２を折り畳んで収納すると共に、このレインパンツ２の所要部をポケット３内の所要部に連結してなることを特徴とする。
【０００５】
請求項２は、請求項１に記載のレインパンツ付きズボンにおいて、ポケット３内に連結用タブ９を取り付け、レインパンツ２の両サイドＳ，Ｓを切り開いて夫々ファスナー１３，１３により開閉自在にすると共に、このレインパンツ２には、パンツ２の裏面側でズボン１のポケット側連結用タブ９の取付位置と対応する位置に連結用タブ１０を取り付け、このパンツ側連結用タブ１０と前記ポケット側連結用タブ９とをホック１１又はボタンで連結するようにしてなることを特徴とする。
【発明の効果】
【０００６】
上記解決手段による発明の効果を、後述する実施形態の参照符号を付して説明すると、請求項１に係る発明のレインコート付きズボンを使用すれば、例えばアウトドアを楽しんでいる最中に急に雨が降ってきた時、あるいは運送業者の運転手がその日の仕事を終えて車を洗車する時に、ズボン１のポケット３からレインパンツ２を引き出して、そのズボン１の上から着用すれることにより、ズボン１及びその下着が濡れるのを防止できる。
【０００７】
請求項２に係る発明のレインコート付きズボンように、ポケット３内に連結用タブ９を取り付け、レインパンツ２には、パンツ２の裏面側でズボン１のポケット側連結用タブ９の取付位置と対応する位置に連結用タブ１０を取り付け、このパンツ側連結用タブ１０とポケット側連結用タブ９とをホック１１（又はボタン）で連結するようにしているから、レインパンツ２を着用する際に、このレインパンツ２をポケット３から引っ張り出して、パンツ２の両サイドＳ、Ｓを適宜開放した後、レインパンツ２の一方の脚部２に、ズボン１を着た着用者の一方の足を入れ、着用者の他方の足をレインパンツ２の他方の脚部２ｂに入れるようにすることで、レインパンツ２を迅速容易に着用することができる。
【発明を実施するための最良の形態】
【０００８】
以下に本発明の好適な実施形態を添付の図面に基づいて説明すると、図１の(a) は本発明に係るレインコート付きズボンＡを正面側から見た斜視図、(b) は同レインコート付きズボンＡの側面図、図２は同レインコート付きズボンＡの背面図であり、図３の(a) はレインパンツ２の正面図、(b) は同レインパンツ２の側面図、図４は同レインパンツ２の背面図であり、図５の(a) は一部を開放した状態のレインパンツ２の正面図、(b) は(a) のＸ−Ｘ線拡大断面図である。このレインコート付きズボンＡは、ズボン１の中段側一側部にレインパンツ収納用ポケット３を外付け式に設け、このポケット３にレインパンツ２を折り畳んで収納すると共に、このレインパンツ２の所要部をポケット３内の所要部に連結してなるものである。また、このズボン１にはレインパンツ収納用ポケット３の反対側の側面部に、普通に使用されるポケット４が外付け式に設けられている。
【０００９】
上記レインコート付きズボンＡの構造についてさらに詳細に説明すれば、ズボン１は、比較的厚手の生地によって形成されたレジャー用のズボンで、腰回り部１ａと両脚部１ｂ，１ｂとからなり、一方の脚部１ｂの太股外側部にレインパンツ収納用ポケット３が取り付けられ、他方の脚部１ｂの太股外側部に普通に使用されるポケット４が取り付けられている。腰回り部１ａは、図１の(a) に示すように前明きになっていて、その前明き部５には図示は省略するが、ファスナーが取り付けてある。また、腰回り部１ａの上端部に形成されるウエスト部Ｗにはベルト通し６が設けられ、ウエスト部Ｗの左右両側部Ｗｏ，Ｗｏは、例えばゴム布が縫い込まれるなどして伸縮可能となっている。
【００１０】
レインパンツ収納用ポケット３は、脚部１ｂの太股外側部にポケット用布地７を縫い付けることによって形成されるもので、このポケット３の上辺部３ａとこれに続く後側辺部３ｂとがＬ字状に開口され、このＬ字状開口部３ａ，３ｂに沿ってファスナー８が取り付けられ、このファスナー８によりＬ字状開口部３ａ，３ｂが開閉自在となっている。
【００１１】
このレインパンツ収納用ポケット３の内部には、図７に示すように、開口部３ｂに隣接する部位に、布地からなる連結用タブが取り付けられ、この連結用タブ９には、後述するレインパンツ２側の連結用タブ１０が、複数個のホック１１によって切り離し可能に連結されるようになっている。このポケット側連結用タブ９は、図７から分かるように、ズボン１の脚部１ｂの太股部の位置に取り付けられている。尚、図１、図２及び図７において８ｏはファスナー８の開閉用ツマミを示す。
【００１２】
この実施形態では、ポケット側の連結用タブ９とレインパンツ２側の連結用タブ１０とをホック１１によって連結するようにしているが、ホック１１に代えてボタンを使用してもよい。
【００１３】
レインパンツ２は、防水加工を施した薄手の布地やビニール生地で形成されたもので、図３及び図４に示すように、ズボン１と同様に腰回り部２ａと両脚部２ｂ，２ｂとからなる。そして、このレインパンツ２は、図５の(a) から分かるように、両サイドＳ，Ｓが切り開かれていて、その各切り開き部１２にファスナー１３が取り付けられ、それによってレインパンツ２の両サイドＳ，Ｓが図５の(a) に示すように夫々開閉自在となっている。尚、レインパンツ２には、腰回り部２ａの正面側の左右両端部に、ただ手を通すだけのスルーポケット１５が、また腰裏側の左右両端部にも同様なスルーポケット１６が設けられている。図５の(a) において１３ｏはファスナー１３の開閉操作用ツマミを示す。
【００１４】
そして、このレインパンツ２には、レインパンツ２の裏面側でズボン１のポケット側連結用タブ９の取付位置と対応する位置（即ち、ズボン１の上からレインパンツ２を履いた時にポケット側連結用タブ９の取付位置と重なり合う位置）に連結用タブ１０が取り付けられ、このレインパンツ側の連結用タブ１０が複数個のホック１１（又はボタン）によってポケット側の連結用タブ９に連結されるようになっている（図７参照）。
【００１５】
尚、図示は省略するが、ポケット側の連結用タブ９には複数個の例えばホック雌部が取り付けられ、レインパンツ側の連結用タブ１０には前記ホック雌部に押し込んで係着させるホック雄部が複数個取り付けられている。ボタンの場合には、ポケット側連結用タブ９には例えばボタンが取り付けられ、レインパンツ側連結用タブ１０にはボタン穴が設けられる。
【００１６】
また、レインパンツ２のウエスト部ｗは、その全周にわたり例えばゴム布が縫い込まれるなどして伸縮自在となっている。また、レインパンツ２は、両サイドＳ，Ｓが切り開かれ、従ってウエスト部ｗも切り開かれているが、このウエスト部ｗの切り開き部どうしをつなぎ留めるためのタブ１７がウエスト部ｗの後半部側の両端部に取り付けられ（図５の(a) 参照）、各タブ１７にはホック１８の例えば雌部１８ａが設けられ、そしてウエスト部ｗの前半部側の両端部にはホック１８の雌部に係着するホック雄部（図示省略）が設けてある。尚、このホックの代わりにボタンを設けてもよい。
【００１７】
しかして、このレインパンツ２をズボン１のレインパンツ収納用ポケット３に収納し、そのポケット３内の連結用タブ９にレインパンツ２側の連結用タブ１０を連結するには、このレインパンツ２を小さく折り畳んで、この折り畳んだレインパンツ２をポケット３に入れ、レインパンツ２の裏側所定部位に取り付けてある連結用タブ１１をホック１によってポケット側連結用タブ９に連結すればよい。図１及び図２は、こうしてズボン１のポケット３にレインパンツ２を収納したレインコート付きズボンＡを示したものである。
【００１８】
次に、上記のような構成よりなるレインコート付きズボンＡの使用方法について図６〜図９、及び他の図面を適宜に参照しながら説明する。
【００１９】
図６の(a) は着用者がレインコート付きズボンＡのズボン１を履いている状態を示す。こうしてズボン１を履いた着用者がレインパンツ２を着用する時は、図６の(b) に示すようにレインパンツ収納用ポケット３を開けて、その中のレインパンツ２を引っ張り出し、そして着用者の履いているズボン１とポケット３から引き出したレインパンツ２が図７に示すような状態となるようにする。
【００２０】
この図７に示すような状態で、着用者はズボン１の上からレインパンツ２を履くわけであるが、着用者はパンツ２の両サイドＳ，Ｓにあるファスナー１３，１３を開放操作し、一方のサイドＳ（連結用タブ１０に近い方のサイドＳ）をほとんど全開状態とし、他方のサイドＳは半開状態とする。しかして、全開状態にあるレインパンツ２の一方の脚部２に、ズボン１を着た着用者の一方の足を入れて、ズボン１の片方の脚部１ｂを挿入した後、着用者の他方の足を、半開状態にあるレインパンツ２の他方の脚部２ｂに入れて、ズボン１の他方の脚部１ｂを挿入し、こうしてズボン１の両脚部２ｂ，２ｂをレインパンツ２の両脚部１ｂ，１ｂに入れた状態とした後、レインパンツ２の両サイドＳ，Ｓのファスナー１３，１３を閉じることによって、着用者は、図９に示すように、ズボン１の両脚部１ｂ，１ｂの上からレインパンツ２の脚部２ｂ，２ｂを着用した状態となる。
【００２１】
尚、上記のようにレインパンツ２を着用する際には、全開状態にあるレインパンツ２の一方の脚部２ｂに着用者の一方の脚部１ｂを入れた後、その一方のサイドＳの切り開き部１２の上端部どうしを、タブ１７に設けてあるホック１８でつなぎ（図８の(a) 参照）、またレインパンツ２の他方の脚部２ｂに着用者の他方の脚部１ｂを入れた後、もう一方のサイドＳの切り開き部１２の上端部どうしを、同様にタブ１７のホック１８でつなぐことにより（図８の(b) 参照）、レインパンツ２の着用を容易且つスムーズに行うことができる。
【００２２】
以上説明したようなレインコート付きズボンＡを着用することによって、アウトドアを楽しんでいる最中に急に雨が降ってきた時や、その日の仕事を終えて車を洗車する時に、ポケット３からレインパンツ２を引き出して、上述のような要領でズボン１の上から着用すれば、ズボン１及びその下着を濡らさずに済ませることができる。
【００２３】
また、このレインコート付きズボンＡは、ポケット３内には連結用タブ９を取り付け、レインパンツ２には、パンツ２の裏面側でズボン１のポケット側連結用タブ９の取付位置と対応する位置に連結用タブ１０を取り付け、このパンツ側連結用タブ１０とポケット側連結用タブ９とをホック１１（又はボタン）で連結するようにしているから、レインパンツ２を着用する際に、このレインパンツ２をポケット３から引っ張り出し、上記のようにパンツ２の両サイドＳ、Ｓを適宜開放した後、レインパンツ２の一方の脚部２に、ズボン１を着た着用者の一方の足を入れ、着用者の他方の足をレインパンツ２の他方の脚部２ｂに入れるようにすることで、レインパンツ２を迅速容易に着用することができる。
【００２４】
この実施形態では、レインパンツ２をズボン１のポケット３の中でポケット３側の連結用タブ９とパンツ２側の連結用タブ１０とを介してホック１１又はボタンにより切り離し可能に連結しているが、レインパンツ２は、そのような連結用タブ９，１０を取り付けることなく、レインパンツ２の所要部を直接ポケット３の内部の所要箇所に取外し可能に連結するようにしてもよい。
【図面の簡単な説明】
【００２５】
【図１】(a) は本発明のレインコート付きズボンＡを正面側から見た斜視図、(b) は同レインコート付きズボンＡの側面図である。
【図２】同レインコート付きズボンＡの背面図である。
【図３】(a) はレインパンツの正面図、(b) は同レインパンツの側面図である。
【図４】同レインパンツ２の背面図である。
【図５】(a) は一部を開放した状態のレインパンツの正面図、(b) は(a) のＸ−Ｘ線拡大断面図である。
【図６】(a) 及び(b) は本発明のレインコート付きズボンＡの使用方法を説明する説明図である。
【図７】同レインコート付きズボンＡの使用方法を説明する説明図である。
【図８】(a) 及び(b) は同レインコート付きズボンＡの使用方法を説明する斜視説明図である。
【図９】同レインコート付きズボンＡを着用した状態の斜視図である。
【符号の説明】
【００２６】
Ａ            レインコート付きズボン
１            ズボン
２            レインパンツ
３            レインパンツ収納用ポケット
Ｓ            レインパンツのサイド
９            ポケット側の連結用タブ
１０          パンツ側の連結用タブ
１１          ホック
【図１】
2007327146.tif 000003
【図２】
2007327146.tif 000004
【図３】
2007327146.tif 000005
【図４】
2007327146.tif 000006
【図５】
2007327146.tif 000007
【図６】
2007327146.tif 000008
【図７】
2007327146.tif 000009
【図８】
2007327146.tif 000010
【図９】
2007327146.tif 000011